(57)【要約】【課題】無線通信を介した画像データの送信中は電力消費を抑え、画像データの送信を中断するための予め定められた状態を検出したときには、無線通信を中断して送信経過状況を表示する。【解決手段】無線通信による画像データの送信中は、ＬＣＤ４６を照明するバックライトを消灯し、無線通信中にキャンセルボタンが押下されたときには（ｔ１）、無線通信を中断して画像データの送信を一時停止し（ｔ２）、ＬＣＤ４６を照明するバックライトを点灯して（ｔ３）ＬＣＤ４６に送信経過状況を表示する（ｔ４）。【選択図】図４
2007329557.tif 000002
【特許請求の範囲】
【請求項１】
画像を表示する液晶表示部および前記液晶表示部を照明するバックライトを備えた表示装置と、
無線通信を行うための無線通信手段と、
前記無線通信手段および前記バックライトに駆動用の電力を供給する電源と、
前記無線通信手段の無線通信中に予め定められた状態を検出する検出手段と、
前記無線通信手段の無線通信中には前記電源から前記バックライトへの電力供給を通常状態より低くし、前記無線通信手段の無線通信中に前記検出手段により前記予め定められた状態が検出されたときには、前記無線通信手段の無線通信を中断し、前記電源から前記バックライトへの電力供給を通常状態に戻して前記無線通信手段の通信経過状況を前記液晶表示部に表示する制御手段と、
を含む表示装置付き情報端末。
【請求項２】
前記無線通信手段の通信経過状況を前記液晶表示部に表示させるための表示指示を入力する表示指示入力手段を更に備え、
前記検出手段は、前記予め定められた状態として、前記表示指示が入力されたことを検出する請求項１記載の表示装置付き情報端末。
【請求項３】
前記検出手段は、前記予め定められた状態として、予め定められたタイミングが到来したことを検出する請求項１記載の表示装置付き情報端末。
【請求項４】
前記タイミングは、所定時間間隔、所定通信データ量間隔、および所定通信データ個数間隔の少なくとも１つの間隔で到来するタイミングである請求項３記載の表示装置付き情報端末。
【請求項５】
前記所定時間間隔、前記所定通信データ量間隔、および前記所定通信データ個数間隔の少なくとも１つは、通信データ総量及び無線通信の通信状態の少なくとも一方に応じて定められた請求項４記載の表示装置付き情報端末。
【請求項６】
前記検出手段は、前記予め定められた状態として、表示装置付き情報端末本体が持ち上げられたことを検出する請求項１記載の表示装置付き情報端末。
【請求項７】
前記中断された無線通信を再開させる再開指示を入力するための再開指示入力手段を更に備え、
前記制御手段は、前記再開指示入力手段で前記再開指示が入力されたときに、前記電源から前記バックライトへの電力供給を通常状態より低くして前記中断された無線通信を再開する請求項１乃至請求項６のいずれか１項記載の表示装置付き情報端末。
【請求項８】
前記制御手段は、前記無線通信手段の無線通信を中断し前記通信経過状況を前記液晶表示部に表示してから所定の時間が経過したときに、前記電源から前記バックライトへの電力供給を通常状態より低くして前記中断された無線通信を再開する請求項１乃至請求項６のいずれか１項記載の表示装置付き情報端末。
【請求項９】
前記検出手段は、前記予め定められた状態として、前記電源の残容量が所定量以下になったことを検出する請求項１記載の表示装置付き情報端末。
【請求項１０】
前記制御手段は、前記無線通信手段の無線通信中に前記電源の残容量が所定量以下になったことが検出されたときには、更に、前記電源の残容量に関する情報を前記液晶表示部に表示する請求項９記載の表示装置付き情報端末。
【請求項１１】
画像を表示する液晶表示部および前記液晶表示部を照明するバックライトを備えた表示装置、無線通信を行うための無線通信手段、および前記無線通信手段および前記バックライトに駆動用の電力を供給する電源を備えた表示装置付き情報端末の表示方法であって、
前記無線通信手段の無線通信中に前記電源から前記バックライトへの電力供給を通常状態より低くするステップと、
前記無線通信手段の無線通信中に予め定められた状態を検出するステップと、
前記無線通信手段の無線通信中に前記予め定められた状態が検出されたときに、前記無線通信手段の無線通信を中断し、前記電源から前記バックライトへの電力供給を通常状態に戻して前記無線通信手段の通信経過状況を前記液晶表示部に表示するステップと、
を含む表示方法。
【請求項１２】
画像を表示する液晶表示部および前記液晶表示部を照明するバックライトを備えた表示装置、無線通信を行うための無線通信手段、および前記無線通信手段および前記バックライトに駆動用の電力を供給する電源を備えた表示装置付き情報端末に搭載されたコンピュータに、
前記無線通信手段の無線通信中に前記電源から前記バックライトへの電力供給を通常状態より低くするステップと、
前記無線通信手段の無線通信中に予め定められた状態を検出するステップと、
前記無線通信手段の無線通信中に前記予め定められた状態が検出されたときに、前記無線通信手段の無線通信を中断し、前記電源から前記バックライトへの電力供給を通常状態に戻して前記無線通信手段の通信経過状況を前記液晶表示部に表示するステップと、
を実行させるプログラム。
【発明の詳細な説明】
【技術分野】
【０００１】
本発明は、無線通信機能を備えた表示装置付き情報端末、該表示装置の表示方法及びプログラムに関する。
【背景技術】
【０００２】
近年、家庭内でも有線、無線ＬＡＮによるネットワークが普及していきており、また、無線ＬＡＮに基地局も増加してきており、多くのプロバイダによる公衆無線ＬＡＮサービスも普及しつつある。無線通信機能を搭載したデジタルカメラも一般的になり、無線でデジタルカメラと他の機器やサーバとの間で画像データをやりとりしたりすることができるようになってきている
デジタルカメラ等の携帯機器に無線ＬＡＮのような無線通信機能を搭載した場合、無線通信エリアを広げるためには相当な電力消費が発生する。現状でもデジタルカメラの電池寿命は、電池サイズ等とトレードオフの関係にあり、電池寿命とサイズの双方を充分満足しうる機種は多くない。従って特に小型の機種では、無線通信により電池寿命に与える影響が大きくなる。
【０００３】
そこで、従来、無線手段を介してネットワークから情報を入手している間、データ表示手段を構成するバックライトの電力供給をオフする携帯情報端末が知られている（例えば、特許文献１参照。）。
【０００４】
また、低消費電流モードへの移行を指示したときに、表示部のバックライトを消灯し、低消費電流モードへ移行する携帯電話機が知られている（例えば、特許文献２参照。）。
【特許文献１】特開２００２−１５７０５４号公報
【特許文献２】特開平１０−２４２８９６号公報
【発明の開示】
【発明が解決しようとする課題】
【０００５】
しかしながら、従来の技術では、無線通信中の消費電力を削減すると共に、無線通信の途中で通信経過状況を確認することはできない。
【０００６】
本発明は、上記問題を解決すべく成されたもので、無線通信中は電力消費を抑えることができると共に、無線通信の途中で無線通信を中断して通信経過状況を表示することができる表示装置付き情報端末、表示方法、及びプログラムを提供することを目的とする。
【課題を解決するための手段】
【０００７】
上記目的を達成するために、本発明の表示装置付き情報端末は、画像を表示する液晶表示部および前記液晶表示部を照明するバックライトを備えた表示装置と、無線通信を行うための無線通信手段と、前記無線通信手段および前記バックライトに駆動用の電力を供給する電源と、前記無線通信手段の無線通信中に予め定められた状態を検出する検出手段と、前記無線通信手段の無線通信中には前記電源から前記バックライトへの電力供給を通常状態より低くし、前記無線通信手段の無線通信中に前記検出手段により前記予め定められた状態が検出されたときには、前記無線通信手段の無線通信を中断し、前記電源から前記バックライトへの電力供給を通常状態に戻して前記無線通信手段の通信経過状況を前記液晶表示部に表示する制御手段と、を含んで構成されている。
【０００８】
これにより、無線通信中は電力消費を抑えることができると共に、無線通信の途中で無線通信を中断して通信経過状況を表示することができる。
【０００９】
なお、この表示装置付き情報端末は、前記無線通信手段の通信経過状況を前記液晶表示部に表示させるための表示指示を入力する表示指示入力手段を更に備え、前記検出手段は、前記予め定められた状態として、前記表示指示が入力されたことを検出することができる。
【００１０】
また、前記検出手段は、前記予め定められた状態として、予め定められたタイミングが到来したことを検出することができる。
【００１１】
なお、前記タイミングは、所定時間間隔、所定通信データ量間隔、および所定通信データ個数間隔の少なくとも１つの間隔で到来するタイミングとすることができる。さらに、前記所定時間間隔、前記所定通信データ量間隔、および前記所定通信データ個数間隔の少なくとも１つは、通信データ総量及び無線通信の通信状態の少なくとも一方に応じて定めることができる。
【００１２】
また、前記検出手段は、前記予め定められた状態として、表示装置付き情報端末本体が持ち上げられたことを検出することができる。
【００１３】
なお、この表示装置付き情報端末は、前記中断された無線通信を再開させる再開指示を入力するための再開指示入力手段を更に備え、前記制御手段は、前記再開指示入力手段で前記再開指示が入力されたときに、前記電源から前記バックライトへの電力供給を通常状態より低くして前記中断された無線通信を再開することができる。
【００１４】
また、前記制御手段は、前記無線通信手段の無線通信を中断し前記通信経過状況を前記液晶表示部に表示してから所定の時間が経過したときに、前記電源から前記バックライトへの電力供給を通常状態より低くして前記中断された無線通信を再開することができる。
【００１５】
また、前記検出手段は、前記予め定められた状態として、前記電源の残容量が所定量以下になったことを検出することができる。
【００１６】
さらに、前記制御手段は、前記無線通信手段の無線通信中に前記電源の残容量が所定量以下になったことが検出されたときには、更に、前記電源の残容量に関する情報を前記液晶表示部に表示することができる。
【００１７】
また、本発明の表示方法は、画像を表示する液晶表示部および前記液晶表示部を照明するバックライトを備えた表示装置、無線通信を行うための無線通信手段、および前記無線通信手段および前記バックライトに駆動用の電力を供給する電源を備えた表示装置付き情報端末の表示方法であって、前記無線通信手段の無線通信中に前記電源から前記バックライトへの電力供給を通常状態より低くするステップと、前記無線通信手段の無線通信中に予め定められた状態を検出するステップと、前記無線通信手段の無線通信中に前記予め定められた状態が検出されたときに、前記無線通信手段の無線通信を中断し、前記電源から前記バックライトへの電力供給を通常状態に戻して前記無線通信手段の通信経過状況を前記液晶表示部に表示するステップと、を含んでいる。
【００１８】
これにより、無線通信中は電力消費を抑えることができると共に、無線通信の途中で無線通信を中断して通信経過状況を表示することができる。
【００１９】
また、本発明のプログラムは、画像を表示する液晶表示部および前記液晶表示部を照明するバックライトを備えた表示装置、無線通信を行うための無線通信手段、および前記無線通信手段および前記バックライトに駆動用の電力を供給する電源を備えた表示装置付き情報端末に搭載されたコンピュータに、前記無線通信手段の無線通信中に前記電源から前記バックライトへの電力供給を通常状態より低くするステップと、前記無線通信手段の無線通信中に予め定められた状態を検出するステップと、前記無線通信手段の無線通信中に前記予め定められた状態が検出されたときに、前記無線通信手段の無線通信を中断し、前記電源から前記バックライトへの電力供給を通常状態に戻して前記無線通信手段の通信経過状況を前記液晶表示部に表示するステップと、を実行させる。
【００２０】
これにより、無線通信中は電力消費を抑えることができると共に、無線通信の途中で無線通信を中断して通信経過状況を表示することができる。
【発明の効果】
【００２１】
以上説明したように本発明によれば、無線通信中は電力消費を抑えることができると共に、無線通信の途中で無線通信を中断して通信経過状況を表示することができる、という効果を奏する。
【発明を実施するための最良の形態】
【００２２】
以下、図面を参照して、本発明の実施の形態について詳細に説明する。なお、本実施の形態では、本発明の表示装置付き情報端末を、デジタルスチルカメラ（以下、単に「デジタルカメラ」という。）に適用した場合の形態について説明する。まず、図１を参照して、本実施の形態に係るデジタルカメラ１０の概略構成を説明する。
【００２３】
同図に示すように、デジタルカメラ１０は、レンズ１２と、レンズ１２の光軸後方に配設されたＣＣＤ（Charge Coupled Device）１４と、相関二重サンプリング回路（以下、「ＣＤＳ」という。）１６と、入力されたアナログ画像信号を画像データに変換するアナログ／デジタル変換器（以下、「ＡＤＣ」という。）１８と、デジタルカメラ１０全体の動作を司るマイクロ・コンピュータ（以下、「マイコン」という。）２０と、所定容量のラインバッファを内蔵すると共に入力された画像データに対して所定のデジタル信号処理を施す一方、撮影によって得られた画像データにより示される被写体像や各種メニュー画面、メッセージ等を表示するための液晶ディスプレイ（以下、「ＬＣＤ」という。）４６に対する表示動作を司るＤＳＰ（Digital Signal Processor）で構成された信号処理回路２２と、主として撮影により得られた画像データを記憶するＳＤＲＡＭ（Synchronous Dynamic Random Access Memory）により構成されたメモリ２６と、ＣＣＤ１４を駆動させるための駆動信号を生成するＣＣＤ駆動部２８と、ＣＤＳ１６、信号処理回路２２、ＣＣＤ駆動部２８等の各部に対し必要とされるタイミング信号を供給するタイミング信号発生部３０と、を含んで構成されている。
【００２４】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素信号を得る処理である。
【００２５】
ＣＣＤ１４の出力端子はＣＤＳ１６の入力端子に、ＣＤＳ１６の出力端子はＡＤＣ１８の入力端子に、ＡＤＣ１８の出力端子は信号処理回路２２の入力端子に、各々接続されている。また、信号処理回路２２はマイコン２０及びデータバスＢＵＳの各々と接続されており、メモリ２６もデータバスＢＵＳと接続されている。更に、マイコン２０はタイミング信号発生部３０の入力端子に、タイミング信号発生部３０の出力端子はＣＤＳ１６、信号処理回路２２、ＣＣＤ駆動部２８等の入力端子に、ＣＣＤ駆動部２８の出力端子はＣＣＤ１４の入力端子に、各々接続されている。
【００２６】
そして、信号処理回路２２によるデジタル信号処理の一部はマイコン２０による制御に応じて実行され、タイミング信号発生部３０による各種タイミング信号の発生も、マイコン２０による制御に応じて実行される。
【００２７】
また、デジタルカメラ１０には、データバスＢＵＳに接続された外部インタフェース（以下、「外部Ｉ／Ｆ」という。）２４が内蔵されており、外部Ｉ／Ｆ２４は、デジタルカメラ１０にスマート・メディア、ＩＣカード、ＣＤ−Ｒ、ＣＤ−ＲＷ等の可搬型の記録メディア５２が装着された状態において、当該記録メディア５２に対するアクセスを司ると共に、その他のデジタル情報の外部との間の入出力を司る。
【００２８】
また、撮影を実行する際にユーザによって押圧操作されるレリーズボタン（所謂シャッター）３２と、各種メニュー画面をＬＣＤ４６に表示させるときに押圧操作されるメニューボタンや、電源オンオフする電源スイッチ、ＬＣＤ４６の表示内容から所望のものを指定するために押圧操作されるセレクトボタン、セレクトボタンによる指定結果を確定するときに押圧操作される決定ボタン、無線ＬＡＮ通信を中断して送信経過状況を表示するためのキャンセルボタン等の操作部３４とが、マイコン２０に接続されており、マイコン２０は、これらのボタン類に対する操作状態を常時把握することができる。
【００２９】
また、信号処理回路２２は、ＬＣＤ駆動回路４４を介して前述のＬＣＤ４６と接続されている。マイコン２０は、ＬＣＤ駆動回路４４に制御信号を出力すると共に、信号処理回路２２を介してＬＣＤ駆動回路４４に例えば輝度信号及び色差信号からなるＹＵＶ信号（あるいはＹＣｒＣｂ信号）を出力することによって、ＬＣＤ４６に画像を表示させる。
【００３０】
ＬＣＤ駆動回路４４は、マイコン２０から入力した制御信号に応じ、信号処理回路２２から入力した画像データに基づいて、被写体像やメニュー画面等の画像をＬＣＤ４６に表示させるための信号を生成してＬＣＤ４６に供給する。
【００３１】
ＬＣＤ４６は、視認性やコントラストなどに優れた透過タイプであり、それ自体では発光しない受光型の素子により構成されている。そのため、ＬＣＤ４６は、その裏面に、光源としてバックライト５０が配置されている。ＬＣＤ４６に表示された画像は、バックライト５０がＬＣＤ４６を照明することにより可視化される。このバックライト５０には、バックライト駆動回路４８が接続されている。バックライト駆動回路４８は、マイコン２０に接続され、マイコン２０の制御によりバックライト５０に電力を供給する。
【００３２】
さらに、デジタルカメラ１０の内部には、各部に駆動用の電力を供給する電池４２が内蔵されている。なお、図１では、電池４２から各部への電力供給ラインは図示が省略されている。また、本実施の形態に係るデジタルカメラ１０では、電池４２として、ニッケルカドミウム電池、ニッケル水素電池、リチウムイオン電池等に代表される充電可能な二次電池を適用しているが、マンガン電池、アルカリ電池等の充電できない一次電池を適用することもできる。
【００３３】
デジタルカメラ１０には、電池４２の残容量（残量）を検出する電池残容量検出部４０が備えられている。なお、本実施の形態に係る電池残容量検出部４０は、電池４２の出力電圧値を当該電池４２の残容量に対応する値として検出するものとして構成されている。
【００３４】
図２は、電池４２の放電容量に対する出力電圧の変化を示している。同図に示されるように、電池の特性は一般に、ある程度の放電容量までは出力電圧値が徐々に小さくなり、放電容量が大きくなると急激に出力電圧値が小さくなる。従って、出力電圧値を用いて放電容量が大きい、すなわち電池の残容量が少ないことを検出することが可能であり、特に電池の残容量が少ない場合においては測定誤差が小さくなり、電池の残容量を判定する閾値に含めるべき測定誤差相当の余分を小さくできる。
【００３５】
また、デジタルカメラ１０には、無線ＬＡＮコントローラ６０が備えられている。無線ＬＡＮコントローラ６０はアンテナ６２に接続され、外部機器と無線ＬＡＮ通信が可能な構成となっている。
【００３６】
このようなデジタルカメラ１０を構成する各部は、マイコン２０により制御される。マイコン２０は、マイコン２０に備えられたＲＯＭ等の記憶部２０ａに記憶されたプログラムを実行することにより、後述する無線通信や表示の制御等を含む各種制御を行う。
【００３７】
ここで、デジタルカメラ１０の撮影時における全体的な処理の流れについて簡単に説明する。
【００３８】
ＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（画像データ）に変換して信号処理回路２２に出力する。
【００３９】
信号処理回路２２は内蔵しているラインバッファにＡＤＣ１８から順次入力される画像データを蓄積して一旦メモリ２６に格納する。
【００４０】
メモリ２６に格納された画像データは、マイコン２０による制御下で信号処理回路２２によって読み出され、これらに光源種に応じたデジタルゲインをかけることでホワイトバランス調整を行なうと共に、ガンマ処理及びシャープネス処理を行なって８ビットのデジタル画像信号を生成し、更に信号処理を施してＹＵＶ信号（あるいはＹＣｒＣｂ信号）を生成し、再びメモリ２６に格納する。
【００４１】
なお、ＬＣＤ４６は、ＣＣＤ１４による連続的な撮像によって得られた動画像（スルー画像）を表示してファインダとして使用することができるものとして構成されている。ＬＣＤ４６をファインダとして使用するときには、信号処理回路２２は、生成したＹＵＶ信号をＬＣＤ駆動回路４４を介して順次ＬＣＤ４６に出力する。これによりＬＣＤ４６にスルー画像が表示される。
【００４２】
ここで、レリーズボタン３２がユーザによって全押し状態とされたときに、この時点でメモリ２６に格納されているＹＵＶ信号（あるいはＹＣｒＣｂ信号）を、不図示の圧縮・伸張部によって所定の圧縮形式で圧縮した後に外部Ｉ／Ｆ２４を介して記録メディア５２に１コマ毎に記録する。記録メディア５２には、１コマ以上の画像データを記憶することができる。
【００４３】
なお、画像データを記録する媒体としてはこのような記録メディアに限定されない。例えば、デジタルカメラ１０本体に固定的に備えられたメモリ等の記憶部であってもよい。
【００４４】
次に、無線ＬＡＮ通信を介して外部の装置に画像データを送信するときの表示制御について図３及び図４を参照しながら説明する。
【００４５】
図３は、記録メディア５２に記録された全コマの画像データを無線ＬＡＮ通信を介して外部装置に送信する送信処理を実行するときにマイコン２０により行われる制御処理の流れを示すフローチャートである。なお、このフローチャートの処理は、操作部３４の所定の操作により開始される。
【００４６】
ステップ１００では、バックライト駆動回路４８を制御し、バックライト５０に対する電力供給を通常状態から省電力状態にし（ここではバックライト５０に流す電流の値を０とする）、バックライト５０を消灯させる。
【００４７】
ステップ１０２では、無線ＬＡＮコントローラ６０を制御して、記録メディア５２に記録された画像データを外部装置に送信するための無線ＬＡＮ通信を開始する。
【００４８】
ステップ１０４では、記録されている全画像データの送信が完了したか否かを判断する。ここで、全画像データの送信が完了したと判断されなかった場合には、ステップ１０６に移行し、データ送信一時停止信号の入力が検出されたか否かを判断する。ここでは、データ送信一時停止信号は、ユーザが操作部３４のキャンセルボタンを押下したときに出力され、マイコン２０に入力される信号とする。
【００４９】
ステップ１０６でデータ送信一時停止信号の入力が検出されなかったと判断したときには、ステップ１０４に戻る。
【００５０】
ステップ１０６でデータ送信一時停止信号の入力が検出されたと判断したときには、ステップ１０８に移行し、無線ＬＡＮ通信を中断し、画像データの送信を一時停止する。なお、ここでは、コマの途中で送信が中断されないように、キャンセルボタン押下時に送信途中のコマの画像データの送信が完了してから無線ＬＡＮ通信を中断する。
【００５１】
ステップ１１０ではバックライト５０に対する電力供給を再開し、バックライト５０を点灯させる。
【００５２】
ステップ１０６〜１１０までの処理のタイミングチャートを、図４のｔ１〜ｔ３に示す。無線ＬＡＮ通信を介した画像データの送信中に、ｔ１でデータ送信一時停止信号が出力された場合、ｔ２で無線ＬＡＮ通信を中断してデータ送信を一時停止し、ｔ３でバックライトを点灯する。
【００５３】
ステップ１１２では、無線ＬＡＮ通信を介した画像データの送信が開始されてから、画像データの送信を一時停止したときまでの画像データの送信経過状況を示す表示用データを生成し、該表示用データを信号処理回路２２を介してＬＣＤ駆動回路４４に出力し、ＬＣＤ４６に送信経過状況を表示する（図４のｔ４参照）。
【００５４】
ＬＣＤ４６に表示する送信経過状況には、図４に示すように、画像データの送信が完了した最終コマ画像を特定する画像番号８０および該最終コマ画像８２を表示してもよいし、送信が完了した全てのコマ画像の画像番号を表示するようにしてもよい。
【００５５】
また、送信経過状況に加え、無線通信を再開するか終了するかを選択させるメッセージ８４と、ユーザがこのメッセージに応答するための継続ボタン８６及び中断ボタン８８を表示する。継続ボタン８６は無線通信を再開するためのボタンであり、中断ボタン８８は、無線通信をこのまま終了させるためのボタンである。これらボタンは、操作部３４の操作により排他的に選択することができる。
【００５６】
ステップ１１４で、継続ボタン８６が選択され、通信再開指示が入力されたと判断したときには（図４のｔ５参照）、ステップ１００に戻り、バックライトを消灯して（図４のｔ６参照）、再び無線ＬＡＮ通信を開始し、残りの画像データの送信を再開する（図４のｔ７参照）。
【００５７】
また、ステップ１１４で、中断ボタン８８が選択され、通信終了指示が入力されたと判断したときには、本処理ルーチンを終了する。
【００５８】
一方、ステップ１０４で全コマ画像の画像データの送信が完了したと判断したときには、ステップ１１６で無線ＬＡＮ通信を終了し、ステップ１１８で、バックライト５０に通常通りに電力を供給してバックライト５０を点灯させ、ＬＣＤ４６に画像を通常表示させる。
【００５９】
このように、無線通信中はバックライト５０に供給する電力を低下させるようにしたため、無線通信中は省電力化でき、また、無線通信を中断して送信経過状況を表示させるための予め定められた状態を検出したときに（上記実施の形態では、キャンセルボタンの押下）、無線通信の途中で通信を中断して、画像データの送信経過状況を表示するようにしたため、ユーザは無線通信の途中で容易に送信経過状況を把握することができる。
【００６０】
なお、上記実施の形態では、無線通信中はバックライト５０を完全に消灯する例について説明したが、消費電力が小さくなるようにバックライト５０へ供給する電力を通常状態より低くすればよく、バックライト５０を完全に消灯しなくてもよい。
【００６１】
また、上記実施の形態では、画像データを送信する場合を例に挙げて説明したが、これに限定されず、画像データ以外のデータを送信する場合も同様に制御できる。
【００６２】
また、画像データや各種データを送信する場合だけでなく受信する場合も、同様に制御できる。なお、データを受信する場合に、無線通信を中断して受信経過状況を表示する際には、例えば、最後に受信したデータの識別番号を表示するようにしてもよいし、受信すべき全データ量が予めわかっていれば、該全データ量に対する受信データ量の比を受信経過状況として表示するようにしてもよい。
【００６３】
また、上記実施の形態では、キャンセルボタンの押下によりデータ送信一時停止信号が出力され、これをマイコン２０が検出することによって、無線ＬＡＮ通信を停止して送信経過状況を表示する例について説明したが、これに限定されず、例えば、無線ＬＡＮ通信開始から所定送信コマ数間隔毎に通信を停止して送信経過状況を表示するようにしてもよい。
【００６４】
この場合には、無線ＬＡＮ通信の開始から送信コマ数をカウントすると共に、カウント値が予め定められたコマ数Ｎとなったときにデータ送信一時停止信号を出力するカウンタをデジタルカメラ１０に設けることができる。カウンタは、該データ送信一時停止信号を出力した後、カウント値をリセットして、送信再開後に新たにカウントを開始するようにする。また、この場合も、マイコン２０は、上記図３のフローチャートに示した表示制御を行うことができる。ここで、図３及び図５を参照しながら、所定間隔毎に通信を中断して送信経過状況を表示する表示制御について説明する。
【００６５】
マイコン２０は、無線ＬＡＮ通信中は、バックライト５０を消灯する（ステップ１００）。カウンタから出力されたデータ送信一時停止信号を検出したときに（図３のステップ１０６）、上記と同様に、無線ＬＡＮ通信を中断し（ステップ１０８）、バックライト５０を点灯する（ステップ１１０）。
【００６６】
ステップ１０６〜１１０までの処理の本実施例におけるタイミングチャートを、図５に示す。無線ＬＡＮ通信による画像データ送信開始からＮコマ分の画像データを送信した後に、ｔ１１で、無線ＬＡＮ通信を中断してデータ送信を一時停止し、ｔ１２でバックライトを点灯する。
【００６７】
その後、ステップ１１２で、送信経過状況を表示する（図５のｔ１３参照）。
【００６８】
なお、ＬＣＤ４６に表示する送信経過状況には、例えば図５に示すように、画像データの送信が完了した最終コマ画像を特定する画像番号８０および該最終コマ画像８２だけでなく、記憶されている全コマ数のうち何コマの画像データが送信完了したかを示す情報９０や、全コマ数に対する送信済コマ数の割合をグラフ化した画像９２を表示するようにすることができる。
【００６９】
また、送信経過状況を予め定められた時間表示した後に、自動的に無線ＬＡＮ通信（画像データの送信）を再開するようにしてもよいし、上記実施の形態で例示したように、無線通信を再開するか終了するかを選択させるメッセージ８４、ユーザがこのメッセージに応答するための継続ボタン８６及び中断ボタン８８を表示し、ユーザに選択させるようにしてもよい。
【００７０】
いずれかの方法により、無線ＬＡＮ通信の再開が指示された場合には、ステップ１００に戻って、バックライトを消灯し（図５のｔ１４参照。）、無線ＬＡＮ通信を介したデータ送信を再開する（図５のｔ１５参照。）。
【００７１】
なお、ここでは、所定送信コマ数間隔で無線ＬＡＮ通信を中断して送信経過状況を表示する例について説明したが、これに限定されず、例えば、所定時間間隔で無線ＬＡＮ通信を中断して送信経過状況を表示するようにしてもよい。この場合には、無線ＬＡＮ通信の開始からの経過時間をカウントすると共に、経過時間が予め定められた時間となったときにデータ送信一時停止信号を出力するタイマをデジタルカメラ１０に設けることができる。
【００７２】
また、所定送信データ量間隔で無線ＬＡＮ通信を中断して送信経過状況を表示するようにしてもよい。この場合には、マイコン２０が、送信済コマの画像データのデータサイズを各コマの送信が完了したと同時に累積的に加算することによって送信データ量を演算し、該送信データ量が所定データ量を超えたときに、無線ＬＡＮ通信を中断して送信経過状況を表示することができる。
【００７３】
さらにまた、無線ＬＡＮ通信開始（再開）から所定コマ数が送信されたとき、所定時間経過したとき、及び送信データ量が所定データ量となったときの全てのタイミングで、無線ＬＡＮ通信を中断し送信経過状況を表示するようにしてもよい。
【００７４】
なお、無線ＬＡＮ通信を中断する時間間隔、送信データ量間隔、および送信コマ数間隔は、送信データ総量及び無線ＬＡＮ通信の通信状態の少なくとも一方に応じて決定するようにしてもよい。例えば、送信データ総量が多い場合は、無線ＬＡＮ通信を中断する時間間隔を長めに設定したり、無線ＬＡＮ通信を中断する間隔を長めに設定したりすることができる。また、通信状態が悪い場合には、反対に無線ＬＡＮ通信を中断する間隔を短めに設定したりすることもできる。
【００７５】
また、無線ＬＡＮ通信の途中で電池４２の残量が所定量以下となったことを検出したときに、通信を中断して、画像データの送信経過状況を表示するようにしてもよい。
【００７６】
図２に、無線通信を中断するための閾値の一例として、低電圧値Ｖｔｈを示す。
【００７７】
電池残容量検出部４０は、前述したように、電池４２の出力電圧値を当該電池４２の残容量に対応する値として検出し、電池４２の出力電圧値が低電圧値Ｖｔｈ以下になったことを検出したときには、上記実施の形態と同様に、データ送信一時停止信号をマイコン２０に出力する。
【００７８】
この場合も、マイコン２０は、上記図３のフローチャートに示した表示制御を行うことができる。なお、電池の残量が少ない状態になって無線ＬＡＮ通信を中断した後は、図３のステップ１１４の処理は行わず、ステップ１１２から処理ルーチンを終了するようにしてもよいし、電池４２の容量が送信すべき画像データ全てを送信できる程度残っているのであれば、上記実施の形態と同様に画像データの送信が再開できるように構成してもよい。ここでは前者を例に挙げて説明する。
【００７９】
マイコン２０は、無線ＬＡＮ通信中は、バックライト５０を消灯する（ステップ１００）。電池残容量検出部４０から出力されたデータ送信一時停止信号を検出したときに（図３のステップ１０６）、上記と同様に、無線ＬＡＮ通信を中断し（ステップ１０８）、バックライト５０を点灯する（ステップ１１０）。
【００８０】
ステップ１０６〜１１０までの処理の本実施例におけるタイミングチャートを、図６に示す。ｔ２１で無線ＬＡＮ通信中に電池４２の出力電圧値が低電圧値Ｖｔｈ以下になったことを検出すると、ｔ２２で、無線ＬＡＮ通信を停止してデータ送信を中断し、ｔ２３でバックライトを点灯する。
【００８１】
その後、ステップ１１２で、送信経過状況を表示する（図６のｔ２４参照）。
【００８２】
なお、ＬＣＤ４６に表示する送信経過状況には、図６に示すように、画像データの送信が完了した最終コマ画像を特定する画像番号８０および該最終コマ画像８２だけでなく、電池の残量が不足しているメッセージ９６及びメッセージ９６に対する確認用のＯＫボタン９８を表示することができる。
【００８３】
なお、図６に示したメッセージ９６に加え、電池の残量を数値で示したメッセージを表示してもよい。
【００８４】
ユーザは、表示されたメッセージ９６に対して操作部３４の操作によりＯＫボタン９８を選択する（図６のｔ２５参照。）と、そのまま表示制御の処理ルーチンは終了する。
【００８５】
また、無線ＬＡＮ通信中にユーザがデジタルカメラ１０を持ち上げたときに無線ＬＡＮ通信を中断し、送信経過状況を表示するようにしてもよい。
【００８６】
具体的には、デジタルカメラ１０に加速度センサ等を設け、加速度センサが所定値以上の加速度を検出した場合に、デジタルカメラが持ち上げられたと判断して、データ送信一時停止信号が出力されるように構成し、通信を中断して、画像データの送信経過状況を表示する。この場合も、マイコン２０は、上記図３のフローチャートに示した表示制御を行うことができる。
【００８７】
これによっても、無線ＬＡＮ通信中は省電力化でき、また無線ＬＡＮ通信の途中で通信を中断して、画像データの送信経過状況を把握することができる。
【００８８】
なお、上記実施の形態では、デジタルカメラを例に挙げて説明したが、本発明はこれに限定されず、携帯電話やＰＤＡなど、無線通信機能が備えられた様々な表示装置付き情報端末に適用可能である。
【図面の簡単な説明】
【００８９】
【図１】実施の形態に係るデジタルカメラの概略構成を示す図である。
【図２】電池の放電容量に対する出力電圧の変化を示す図である。
【図３】記録メディアに記録された全コマの画像データを無線ＬＡＮ通信を介して外部装置に送信する送信処理を実行するときにマイコンにより行われる制御処理の流れを示すフローチャートである。
【図４】キャンセルボタンの押下により無線ＬＡＮ通信を停止して送信経過状況を表示する場合のタイミングチャートである。
【図５】無線ＬＡＮ通信開始から所定送信コマ数間隔毎に通信を停止して送信経過状況を表示する場合のタイミングチャートである。
【図６】無線ＬＡＮ通信の途中で電池４２の残量が所定量以下となったことを検出したときに、通信を中断して、画像データの送信経過状況を表示する場合のタイミングチャートである。
【符号の説明】
【００９０】
１０  デジタルカメラ
２０  マイコン
２０ａ  記憶部
３４  操作部
４０  電池残容量検出部
４２  電池
４４  ＬＣＤ駆動回路
４６  ＬＣＤ
４８  バックライト駆動回路
５０  バックライト
５２  記録メディア
６０  無線ＬＡＮコントローラ
６２  アンテナ
【図１】
2007329557.tif 000003
【図２】
2007329557.tif 000004
【図３】
2007329557.tif 000005
【図４】
2007329557.tif 000006
【図５】
2007329557.tif 000007
【図６】
2007329557.tif 000008